(57)【要約】【課題】シンプルな構成にして、医療機関における商材の管理を十分に行うことができ、当該医療機関における手術に際し、商材の誤使用等の発生を事前に抑止し得る医療機関における商材管理システムを提供することを課題とする。【解決手段】医療に関する商材を種類ごとに区分けして収納するラック１と、手術室２内に配置される選択商材報知手段３とを備えて成り、ラック１は、コンピュータと、該コンピュータに接続されるディスプレイ１１及び商材に関するデータを読み込むためのデータ読み取り手段１２とを備え、前記コンピュータは、ラック１に収納されている並びに収納されようとする商材の個別データを記憶するマスタデータ記憶手段と、ラック１から取出し選択された商材に関するデータを選択商材報知手段３に出力する選択商材データ出力手段とを具備し、当該データを選択商材報知手段３において音声及び／又は画像により出力可能にした。  【選択図】図１
2013092848.tif 000002
【特許請求の範囲】
【請求項１】
医療機関内に配置されて医療に関する商材を種類ごとに区分けして収納するラックと、前記医療機関における手術室に配置される選択商材報知手段とを備えて成り、
前記ラックは、コンピュータと、前記コンピュータに接続されるディスプレイ及び前記商材に関するデータを読み込むためのデータ読み取り手段とを備え、  
前記コンピュータは、少なくとも、前記ラックに収納されている並びに収納されようとする前記商材の個別データを記憶するマスタデータ記憶手段と、前記ラックから取出し選択された前記商材に関するデータを前記選択商材報知手段に出力する選択商材データ出力手段とを具備し、
前記選択商材報知手段は、前記選択商材データ出力手段から送信された前記ラックから取出し選択された前記商材に関するデータを、前記手術室内において音声及び／又は画像により出力可能にしたことを特徴とする、医療機関における商材管理システム。
【請求項２】
前記ラックは更に、取出し選択された前記商材を収納する商材ケースを押し出し及び／又は押し上げる機能を有する、請求項１に記載の医療機関における商材管理システム。
【請求項３】
前記ラックは更に、操作者の認証のための指紋認証手段を備える、請求項１又は２に記載の医療機関における商材管理システム。
【請求項４】
前記ラックは更に、前記商材に関するデータを広域ネットワークを介して、前記医療機関外に送出する手段を具備する、請求項１乃至３のいずれかに記載の医療機関における商材管理システム。
【請求項５】
前記データ読み取り手段は、前記商材に付された少なくとも製造番号及び滅菌期限に関するバーコードデータを読み取るバーコードリーダーである、請求項１乃至４のいずれかに記載の医療機関における商材管理システム。
【請求項６】
同種商材が重複して取出し選択された場合にアラートを発する手段を有する、請求項１乃至５のいずれかに記載の医療機関における商材管理システム。
【発明の詳細な説明】
【技術分野】
【０００１】
本発明は、医療機関における商材管理システムに関するものであり、より詳細には、病院等の医療機関において、手術に際して用いられる器材、資材等の医療に関する商材の在庫管理、使用履歴管理等を行うと共に、商材の誤使用を防止するための医療機関における商材管理システムに関するものである。
【背景技術】
【０００２】
従来、医療現場における商材の在庫管理や使用履歴管理等は、納品業者が実際に使用された商材の空箱やバーコードシールを確認することにより行われていることが少なくなかった。しかるに、平成２０年４月１日より、医療機器業公正取引協議会が策定した、医療機器の立会いに関する基準を遵守することが求められるに伴い、納品業者が医療現場に立ち入ることが制限されることとなり、上記商材につき、医療機関の現場スタッフによる自主的管理が求められるようになった。
【０００３】
しかし、医療機関の現場スタッフは流動的であって、同じ現場に常駐している訳ではなく、また、商材の在庫管理業務を専門に行う訳でもないので、医療機関における商材の管理は十分になされていないのが現状である。その結果、商材の誤使用等が起こり、安全使用の面で問題があるだけでなく、無駄なコストが嵩むという問題があった。
【先行技術文献】
【特許文献】
【０００４】
【特許文献１】特許第４３９０４９３号公報
【特許文献２】特許第４４６２６９０号公報
【特許文献３】特許第４６０１１１６号公報
【発明の概要】
【発明が解決しようとする課題】
【０００５】
上述したように、現在の医療機関における商材の管理は十分になされているとは言えず、商材の誤使用等が起こり、安全使用の面で問題があるだけでなく、無駄なコストが嵩むという問題があった。そこで本発明は、そのような問題のない、即ち、比較的シンプルな構成にして、医療機関における商材の管理を十分に行うことができ、当該医療機関における手術等に際し、商材の誤使用等をなくして安全使用を確保し、また、無駄な経費の発生を抑えることができる、医療機関における商材管理システムを提供することを課題とする。
【課題を解決するための手段】
【０００６】
上記課題を解決するための請求項１に記載の発明は、医療機関内に配置されて医療に関する商材を種類ごとに区分けして収納するラックと、前記医療機関における手術室に配置される選択商材報知手段とを備えて成り、前記ラックは、コンピュータと、前記コンピュータに接続されるディスプレイ及び前記商材に関するデータを読み込むためのデータ読み取り手段とを備え、前記コンピュータは、少なくとも、前記ラックに収納される前記商材の個別データを記憶するマスタデータ記憶手段と、前記ラックから取出し選択された前記商材に関するデータを前記選択商材報知手段に出力する選択商材データ出力手段とを具備し、前記選択商材報知手段は、前記選択商材データ出力手段から送信された前記ラックから取出し選択された前記商材に関するデータを、前記手術室内において音声及び／又は画像により出力可能にしたことを特徴とする、医療機関における商材管理システムである。
【０００７】
一実施形態においては、前記ラックは更に、取出しのために選択された前記商材を収納する商材ケースを押し出し及び／又は押し上げる機能を有し、また、操作者の認証のための指紋認証手段を備える。また、一実施形態においては、前記データ読み取り手段は、前記商材に付された少なくとも製造番号及び滅菌期限に関するバーコードデータを読み取るバーコードリーダーとされる。
【０００８】
一実施形態においては、前記コンピュータは、前記商材に関するデータを、広域ネットワークを介して、前記医療機関外に送出する手段を具備する。
【０００９】
更に一実施形態においては、前記コンピュータは、同種商材が重複して取出し選択された場合にアラートを発する手段を備える。
【発明の効果】
【００１０】
本発明は上述したとおりであって、比較的シンプルな構成のシステムであって、医療機関における商材の管理を十分に行うことができ、殊に、当該医療機関における手術等に際し、ラックから取出そうとする商材に関するデータが、手術室に配備されている選択商材報知手段によって音声及び／又は画像にて出力されることにより、手術室内のスタッフ全員が当該商材の出荷の適否を確認することができるため、商材の誤使用等を防止して安全面を確保し、また、商材の誤使用等に基づく無駄な経費の発生を抑止し得る効果がある。
【図面の簡単な説明】
【００１１】
【図１】本発明に係る医療機関における商材管理システムの一実施形態の構成を示す概略図である。
【図２】本発明に係る医療機関における商材管理システムにおいて用いられるラックの構成を示す斜視図である。
【図３】本発明に係る医療機関における商材管理システムの他の実施形態の構成を示す概略図である。
【図４】本発明に係る医療機関における商材管理システムにおける商材補充操作の流れを示すフローチャートである。
【図５】本発明に係る医療機関における商材管理システムにおける商材検索操作の流れを示すフローチャートである。
【図６】本発明に係る医療機関における商材管理システムにおける商材取出操作（二度出し防止ステップ）の流れを示すフローチャートである。
【図７】本発明に係る医療機関における商材管理システムにおける商材取出操作（確認補助ステップ）の流れを示すフローチャートである。
【発明を実施するための形態】
【００１２】
以下に、本発明を実施するための形態について、図面に依拠して説明する。図１は、本発明に係る医療機関における商材管理システムの構成を示す概略図であり、そこに示されるように該システムは、医療機関Ａ内に配置されて医療に関する商材を種類ごとに区分けして収納するラック１と、医療機関Ａにおける手術室２に配置されてラック１から取出される商材に関するデータを、音声及び／又は画像にて出力する選択商材報知手段３とを備えて構成される。ラック１は、手術室２内に配置され、あるいは、手術室２外に配置され、あるいは、複数用意されて手術室２の内外に配置される。
【００１３】
ラック１は、手術に際して用いられる器材、資材、薬品等の医療に関する商材を収めた商材ケース１０を定位置に配置するための複数の棚９を有し、また、本システム全体を制御するコンピュータ（図示してない）が配備される。また、ラック１はその一側面に、そのコンピュータに接続されるディスプレイ１１と、収納する商材の少なくとも製造番号及び滅菌期限に関するデータを読み取るデータ読み取り手段とを備える（図２参照）。ディスプレイ１１としては、通例、タッチパネル式ディスプレイ１１が用いられる。また、ここで用いるデータ読み取り手段としては、各商材に付された当該商材の、少なくとも製造番号及び滅菌期限に関するバーコードデータを読み取るバーコードリーダー１２を用いることが簡便で好ましい。
【００１４】
また、ラック１のコンピュータは、各商材についてのデータを記憶するためのマスタデータ記憶手段を備えると共に、商材（商材ケース１０）が棚９から取出される都度、当該商材に関するデータを手術室２内の選択商材報知手段３に出力するための、商材データ出力手段を備える。
【００１５】
更に好ましい実施形態においては、ラック１は、タッチパネル式ディスプレイ１１に近接する位置に、適正操作者を認証するための指紋認証装置１３を備える。また、ラック１の各棚９には、取出し選択された商材を収納した商材ケース１０を背後又は下方から押して、棚９から少し飛び出るように作用するケース押出機構が配設されると共に、各商材ケース１０に対応する位置に表示ランプ１４が取り付けられる。各表示ランプ１４は、対応する商材ケース１０の取出し選択に呼応して点灯したり、点滅したりするようにされる。
【００１６】
選択商材報知手段３は、ディスプレイ及び／又はスピーカーを含むものであって、医療機関Ａの手術室２内に配置される。選択商材報知手段３は、コンピュータのデータ送信手段から送信される、棚９から取出そうとして選択された商材（商材ケース１０）に関するデータを受信し、それをディスプレイに画像及び／又は文字で表示し、また、スピーカーから商材名をアナウンスさせる。それにより、手術室２内にいる医師や看護婦等の関係者（以下「スタッフ」とする）が一斉に、取出された商材が適切なものか否かを即座に確認することができるため、誤使用を未然に防止することが可能となる。
【００１７】
また、他の実施形態においては、コンピュータは、広域ネットワーク５を介して医療機関Ａ外の、例えば、当該商材の納品業者Ｂに接続され、逐次商材の在庫数等に関するデータを送出する手段を具備する（図３参照）。このようなシステムを構築した場合は、医療機関Ａ側と納品業者Ｂ側とで、在庫数、商材の使用経過等のデータを共有することが可能となり、遠隔地において、不正データの確認、マスタデータの更新、医療機関Ａ側からの自動発注、納品業者Ｂ側における自動受注、２４時間オンライン管理等の実施が可能となる。
【００１８】
次いで、上記システムにおける処理の流れにつき、図４以下に示すフローチャートを参照しつつ説明する。好ましい実施形態においては、本システムへのログインのために認証が必要とされる。図示した実施形態におけるように指紋認証装置１３による認証方法を採用する場合は、本システムに関与する納品業者とスタッフは、本システムに関与するに先立ち、指紋登録をしておく必要がある。この指紋認証装置１３による認証処理を経てログイン完了となると、タッチパネル式ディスプレイ１１には、商材取出、商材検索、商材補充、数量調整、緊急対応等の操作項目が表示され、そのいずれの操作を行うかの選択要求が表示される。
【００１９】
先ず、商材補充操作を選択した場合について説明する。この商材補充操作は、使用されて不足している商材を、ラック１の所定位置の商材ケース１０内へ収納補充するための操作で、主に納品業者が行うことになる。図４は、商材補充操作における処理の流れを示すフローチャートで、そこに示されるように、その操作に当たっては先ず、選択操作（Ｓ１０１）後、補充しようとする商材に付されている、少なくとも製造番号（ＬＯＴ）及び滅菌期限・使用期限（ＵＢＤ）を表わすバーコードを、ラック１のバーコードリーダー１２にかざして当該データを読み込ませる（Ｓ１０２）。
【００２０】
読み込まれたデータはラック１のコンピュータにおいて処理され、マスタデータ記憶手段から当該データに対応する商品コード、商品名等が取得され（Ｓ１０３−ＹＥＳ）、それがタッチパネル式ディスプレイ１１に表示される（Ｓ１０４）。マスタデータに当該商材のデータが存在しない場合（Ｓ１０３−ＮＯ）は、新規登録をするか否かの指示要求がなされ、登録指示をすると、その商品コード、商品名等がマスタデータに登録されてマスタデータが更新される（Ｓ１０５）。
【００２１】
納品業者は、ステップＳ１０４においてタッチパネル式ディスプレイ１１に表示された商材情報が間違いのないものと確認したときは（Ｓ１０６−ＹＥＳ）、タッチパネル式ディスプレイ１１において在庫データ登録操作（Ｓ１０７）を行った後、当該商材を所定の商材ケース１０内に収納し、当該商材ケース１０を、ラック１の適正位置に装填することにより登録完了となる（Ｓ１０８）。登録が完了すると、当該商材の在庫数量が１つインクリメントされる。また、Ｓ１０４においてタッチパネル式ディスプレイ１１に表示された商材情報に間違いがあることを確認したときは（Ｓ１０６−ＮＯ）、タッチパネル式ディスプレイ１１においてキャンセル操作を行う（Ｓ１０９）。
【００２２】
次いで、商材検索操作を選択した場合につき、図５に示される検索機能フローチャートを参照しつつ説明する。この商材検索操作は、ラック１における所望の商材の存否及び存在箇所の確認のために行われるものである。この操作に際しては先ず、選択操作（Ｓ２０１）後、タッチパネル式ディスプレイ１１において、検索対象となる商材を、商品名、メーカー名、種類、サイズのいずれの観点から検索するかの選択画面が表示される（Ｓ２０２）。
【００２３】
そこにおいて、商品名による検索をすることとして商品名を入力すると（Ｓ２０３）、サイズ選択画面に切り替わり、そこでサイズを指定すると（Ｓ２０４）、マスタデータを参照してそれが存在するか否かの確認処理がなされ、存在することが確認されると（Ｓ２０５−ＹＥＳ）、その検索結果が表示され（Ｓ２０６）、存在することが確認されない場合（Ｓ２０５−ＮＯ）には、キャンセル処理がなされる（Ｓ２０７）。
【００２４】
ステップ（Ｓ２０２）において、メーカー名から検索することとしてメーカー名を入力すると（Ｓ２０８）、種類選択画面に切り替わり、そこにおいて種類（例えば、ステント又はバルーン）を選択すると（Ｓ２０９）、複数の商品名を表示した商品名選択画面が表示される。そこで商品名を選択指定すると（Ｓ２１０）、上記ステップ（Ｓ２０４）のサイズ選択ステップに戻り、以後上記ステップ（Ｓ２０５〜Ｓ２０７）を実行する。
【００２５】
また、ステップ（Ｓ２０２）において、種類から検索することとして種類を選択指定すると（Ｓ２１１）、メーカー名選択画面に切り替わり、そこにおいてメーカー名を選択指定すると（Ｓ２１２）、複数の商品名を表示した商品名選択画面が表示される。そこで商品名を選択指定すると（Ｓ２１３）、上記ステップ（Ｓ２０４）のサイズ選択ステップに戻り、以後上記ステップ（Ｓ２０５〜Ｓ２０７）を実行する。
【００２６】
更に、ステップ（Ｓ２０２）において、サイズから検索することとしてサイズを選択指定すると（Ｓ２１４）、種類選択画面に切り替わり、そこにおいて種類（例えば、ステント又はバルーン）を選択すると（Ｓ２１５）、メーカー名選択画面に切り替わり、そこにおいてメーカー名を選択指定すると（Ｓ２１６）、複数の商品名を表示した商品名選択画面が表示される。そこで商品名を選択指定すると（Ｓ２１７）、上記ステップ（Ｓ２０５）の照会画面が表示され、以後上記ステップ（Ｓ２０６、Ｓ２０７）を実行する。
【００２７】
続いて、商材取出操作を選択した場合につき、図６及び図７に示される取出機能フローチャートを参照しつつ説明する。この商材取出操作は、上記検索機能操作における検索結果表示ステップ（Ｓ２０６）まで共通であるので、それに続くそれ以後のステップについてのみ説明することとする。それ以後のステップは、二度出し防止ステップと、確認補助ステップとから成る。
【００２８】
図６に示される二度出し防止ステップは、取出そうとしている商材が、既に使用されているものと重複している場合に、重複取出しで問題ないか否かの確認要求のためのステップである。ここにおいては、検索結果表示（Ｓ２０６）に引き続き、重複取出しか否かが判断され（Ｓ３０１）、重複取出しと判断された場合（Ｓ３０１−ＹＥＳ）にはその旨の報知（アラート）がなされる（Ｓ３０２）。重複取出しで問題ない場合は、アラートの解除操作をすることで次ステップに進むことができる。
【００２９】
重複取出しではなく（Ｓ３０１−ＹＥＳ）、また、アラートの解除がなされた場合は、取出し（出荷）の適・不適の判断がなされ（Ｓ３０３）、適の判断がなされたとき（Ｓ３０３−ＹＥＳ）は、ラック１のケース押出機構に動作信号が送られ、該当する部分の当該ケース押出機構が動作して、該当する商材ケース１０を前方に少し押し出し（Ｓ３０４）、また同時に、表示ランプ１４が点灯又は点滅する。かくして操作者は、取出すべき商材が収納されたラック１を直ちに且つ誤りなく把握することができる。また、取出し不適の判断がなされた場合（Ｓ３０３−ＮＯ）は、キャンセル処理がなされる（Ｓ３０５）。
【００３０】
図７に示される確認補助ステップは、上記二度出し防止ステップの商材押出ステップ（Ｓ３０４）に続くもので、商材押出ステップ（Ｓ３０４）が実行されると、当該商材のデータが、ラック１のコンピュータのデータ送信手段から、医療機関Ａの手術室２内に配置されている選択商材報知手段３に送られる（Ｓ４０１）。選択商材報知手段３においては、この棚９から取出された商材（商材ケース１０）に関するデータをディスプレイに画像及び／又は文字で表示し（Ｓ４０２）、また、スピーカーから当該商材名をアナウンスさせる（Ｓ４０３）。
【００３１】
かくして手術室２内にいるスタッフは、取出そうとされている商材が適切なものか否かを眼と耳とで即座に確認することができる（Ｓ４０４）。そして、それが所望の商材であることが確認された場合（Ｓ４０４−ＹＥＳ）は、在庫数減少計算がなされてマスタデータが更新され（Ｓ４０５）、それが所望の商材ではないことが確認された場合（Ｓ４０４−ＮＯ）は、返却処理がなされる（Ｓ４０６）。
【００３２】
本発明に係るシステムは上記のとおりであって、該システムによれば、在庫数量を含む各商材に関するデータがマスタデータに記憶され、各商材の補充、取出しに伴って逐次マスタデータの更新がなされるため、各商材の在庫管理が容易であり、特に、ラック１から取出された商材に関するデータが、手術室２に配備されている選択商材報知手段１３によって逐次音声及び／又は画像にて出力されるため、手術室２内のスタッフ全員が当該商材の適否を確認することができ、以て、商材の誤使用等の発生を確実に防止すると共にその安全使用を確保し、誤使用等に伴う無駄なコストの発生を抑止することが可能となる。
【００３３】
また、本システムを採用することにより、納入業者は医療機器の立会に関する基準を遵守することが可能となり、医療機関の現場スタッフにとっても、医療材料の在庫管理、使用履歴管理等が容易となり、商材の二度出し回避によるコスト削減（患者の医療費負担増の防止）が図れる。
【符号の説明】
【００３４】
１      ラック
２      手術室
３      選択商材報知手段
９      棚      
１０      商材ケース
１１      タッチパネル式ディスプレイ
１２      バーコードリーダー  
１３      指紋認証装置
１４      表示ランプ
Ａ      医療機関
Ｂ      納品業者
【図１】
2013092848.tif 000003
【図２】
2013092848.tif 000004
【図３】
2013092848.tif 000005
【図４】
2013092848.tif 000006
【図５】
2013092848.tif 000007
【図６】
2013092848.tif 000008
【図７】
2013092848.tif 000009